(57)【要約】      （修正有）【課題】ホルダーに一切手を触れず、片手で切断できるロールペーパーホルダーを提供する。【解決手段】ロールペーパーホルダーは後壁ａと左側壁ｂ上壁ｃとからなるホルダー１と、左側壁ｂの下端部に固定して取り付けた軸２に装着したロールペーパー３と、ロールペーパーの上部に前記軸２と平行に配置して左側壁ｂに固定したロールペーパー受け台４とロールペーパー受け台４上部に前記軸２と平行に左側壁ｂに取り付けた軸で、前後に自重でシーソー回転可能にロールペーパー押さえ板５とホルダーの上壁の全縁に設けた切断刃６と切断刃６上部に設けたペーパーガイド７に沿って、所要長さだけ引き出して切断刃６で切断する構成とした。【選択図】図１
0003128121.tif 000002
【実用新案登録請求の範囲】
【請求項１】
後壁と左又は右の側壁と上壁とからなるホルダーと、側壁の下端部に固定して取り付けたロールペーパー受け軸と、これに装着したロールペーパーと、ロールペーパーの上部に前記ロールペーパー受け軸と平行に配置して側壁に固定したロールペーパー受け台と、ロールペーパー受け台上部に前記ロールペーパ受け軸と平行に側壁に取り付けた軸で、前後に自重でシーソー回動可能に取り付けたロールペーパー押さえ板と、ホルダーの上壁の前縁に設けた切断刃と、切断刃上部に設けたペーパーガイドとにより構成し、前記ロールペーパーは、その端部をロールペーパー受け台とロールペーパー押さえ板の間から前側上方にペーパーガイドに沿って、所要長さだけ引き出して切断刃で切断する構成としたことを特徴とするロールペーパーホルダー。
【考案の詳細な説明】
【技術の分野】
【０００１】本考案は、ホルダーに手を触れず、ロールペーパーを片手で切断できるロールペーパーホルダーに関する。
【背景技術】
【０００２】従来のロールペーパーホルダーは、紙を巻き取り、上ふたを押さえながら、上方に引き取るのが、一般的である。また、これを改良した上ぶたを重たくしたワンハンドカッターが商品化されているが、ロールペーパーが少ないときには、回転してしまい、上ぶたを押さえペーパーの回転を止めなければペーパーが切れない、
また、上ぶたの刃とロールペーパーが密着し次回使用時にロールペーパーを回転させるか上ぶたを上げて引きしろを確保して、使用しなければならず、ホルダーに手を触れず、片手で切断できなかった。
【考案が解決しようとする課題】
【０００３】身体障害者、高齢者は、片手でロールペーパーが切断することが望ましい。また、ホルダーに手を触れてペーパーを切断しなければならず、不特定多数の者が使用する場所では不衛生である、よって、ホルダーに手を触れず、片手で切断できるロールペーパーホルダーを提供するのが、本考案の課題である。
【課題を解決するための手段】
【０００４】本考案が提供するロールペーパーホルダーは、後壁ａと左又は右の側壁ｂとの上壁ｃとからなるホルダー１と、側壁の下端部に固定して取り付けたロールペーパー受け軸２に装着したロールペーパー３と、ロールペーパーの上部に前記軸２と平行に配置して側壁ｂに固定したロールペーパー受け台４と、ロールペーパー受け台４上部に前記軸２と平行に側壁ｂに取り付けた軸で、前後に自重でシーソー回転可能にロールペーパー押さえ板５と、ホルダーの上壁ｃの全縁に設けた切断刃６と、切断刃６上部に設けたペーパーガイド７と、により構成し、前記ロールペーパー３は、その端部をペーパー受け台４とペーパー押さえ板５の間から前側上方にペーパーガイド７に沿って、所要長さだけ引き出して、切断刃６で切断する構成としたことを特徴とするものである。。
【考案の効果】
【０００５】上記構成によると、ロールペーパーをペーパガイドに沿って前側上方に持ち上げ切断刃にて切断する時、ロールペーパー押さえ板の後縁が下がりロールペーパー受け台後縁に接しペーパーに圧力をかけ、ペーパーの回転を止め、切断刃にて切断できるので、ホルダーの上ぶたを押さえずにペーパーを片手で切断できる。
【０００６】また、ロールペーパー受け台の前方にペーパーが垂れ下がるので、ホルダーに手を触れず、ペーパーを巻き取る事が出来る。
【考案を実施するための最良の形態】
【０００７】以下の実施例の構成と作用について説明する。
【実施例】
【０００８】図１は、実施例の斜視図である。この実施例のロールペーパーホルダーは、後壁ａと左側壁ｂと上壁ｃとからなるホルダー１と、左側壁のｂの下端部に固定して取り付けたロールペーパー受け軸２と、これに装着したロールペーパー３と、ロールペーパー３の上部に前記ロールペーパー受け軸２と平行に配置して左側壁ｂに固定したロールペーパー受け台４と、ロールペーパー受け台４上部に前記ロールペーパー受け軸２と平行に左側壁ｂに取り付けられた軸で前後に自重でシーソー回動可能に取り付けたロールペーパー押さえ板５と、ホルダー１の上壁の全縁に設けた切断刃６と、切断刃６上部に設けたペーパーガイド７とより構成されている。【０００９】図２は、図１におけるホルダー１の斜視図である。このホルダー１は、右側壁が無い構造となっており、ロールペーパーの取り付けは、右側より左側壁ｂに取り付けたロールペーパー受け軸２に挿入する。切断刃６は、上壁ｃの前縁に設けられているので、ガタツキが無く、また、ペーパーガイド７の角度を調整することにより、ペーパーの切断能力を高めることができる。【００１０】図３は、ロールペーパー切断時の断面図である。ロールペーパーをペーパーガイド７に沿って持ち上げると、ロールペーパー押さえ板５の前側がペーパーと同時に上がり、ペーパーをロールペーパー受け台４の後縁に押し付ける。すると、ペーパーは、ロールペーパー受け台４と接するペーパー押さえ板５の面に貼り付けた滑り止めシート（ゴムシート）に制止されロールペーパーの回転が止まる。【００１１】図４は、ロールペーパー切断後の断面図である。切断刃６は、樹脂系の山切り状の刃を使用する事により安全性を保つ。また、切断時のロールペーパー押さえ板５とロールペーパー受け台４との接する面と切断刃のペーパーの長さは、ロールペーパー受け台４の長さより長い為、紙受け台４の前側にペーパー３が垂れ下がる。【００１２】（作用）
以上の構成により、ペーパーをペーパーガイド７に沿って持ち上げることにより、ロールペーパー押さえ板５の後縁がロールペーパー受け台４の後縁に接しロールペーパーの回転を止め切断刃６によってペーパーを切断すると、ホルダーの上ぶたを押さえずにペーパーを切断することが出来るので片手でロールペーパーを切断できる。また、切断後、切断時ロールペーパー押さえ板５とロールペーパー受け台４の接する面と切断するペーパーの長さは、ロールペーパー受け台４の長さより長い為、ロールペーパー受け台４の前側に垂れ下がる。このため、ホルダーに手を触れずペーパーを巻き取ることが出来る。
【産業上の利用可能性】
【００１３】本考案にかかるロールペーパーホルダーは、ホルダー本体に一切手を触れることが無いので、不特定多数の人が使う場所では清潔である。また、片手でペーパーを切断するため身体障害者人や高齢者の使用に際しても適している。ペーパーのミシン目を気にせず切断できるのでペーパーの使用の節約にもなり、複雑な構造で無い為、故障も少なくメンテナンスも楽である
【図面の簡単な説明】
【００１４】
【図１】    実施例にかかるロールペーパーホルダーの斜視図である。
【図２】    図１におけるホルダーの斜視図。
【図３】    実施例の動作を示す断面図。
【図４】    実施例の動作を示す断面図。
【符号の説明】
【００１５】１  ホルダー
２  ロールペーパー受け軸
３  ロールペーパー
４  ロールペーパー受け台
５  ロールペーパー押さえ板
６  切断刃
７  ペーパーガイド
【図１】
0003128121.tif 000003
【図２】
0003128121.tif 000004
【図３】
0003128121.tif 000005
【図４】
0003128121.tif 000006